(57)【要約】【課題】操作対象機器の天面に載置されている物体の状態をセンシングする機能を実現する上で、その操作対象機器の天面より大きく突出しないように埋め込むことができる操作スイッチを得ることを目的とする。【解決手段】ロータリースイッチ５のうち、少なくともＩＨ調理器１の天面１ａより突出する上端部を透明部材を用いて構成し、その上端部を通じてＩＨ調理器１の天面１ａに載置されている鍋２の温度を検知する非接触センサー７を内蔵するように構成した。これにより、ＩＨ調理器１の天面１ａに載置されている鍋２の温度を検知する機能を実現する上で、その天面１ａより大きく突出しないように埋め込むことができる。【選択図】        図１
2004265690.tif 000002
【特許請求の範囲】
【請求項１】
操作対象機器に埋め込まれ、上端部のみが上記操作対象機器の天面より突出している操作スイッチにおいて、上記上端部を透明部材を用いて構成し、上記上端部を通じて上記操作対象機器の天面に載置されている物体の状態をセンシングするセンサーを内蔵していることを特徴とする操作スイッチ。
【請求項２】
ミラーを内蔵し、センサーが上記ミラーを介して物体の状態をセンシングすることを特徴とする請求項１記載の操作スイッチ。
【請求項３】
複数のセンサーを内蔵していることを特徴とする請求項１または請求項２記載の操作スイッチ。
【請求項４】
操作対象機器がＩＨ調理器である場合、センサーが上記ＩＨ調理器の天面に載置されている調理器具の温度を検知することを特徴とする請求項１から請求項３のうちのいずれか１項記載の操作スイッチ。
【請求項５】
操作対象機器がＩＨ調理器である場合、一方のセンサーが上記ＩＨ調理器の天面に載置されている調理器具の温度を検知し、他方のセンサーが調理人の存在を検知することを特徴とする請求項３記載の操作スイッチ。
【発明の詳細な説明】
【０００１】
【発明の属する技術分野】
この発明は、操作対象機器に埋め込まれる操作スイッチに関するものである。
【０００２】
【従来の技術】
操作状態を視認しながら、設定ボタンを操作できるようにするため、投光素子や受光素子を内蔵している操作スイッチが以下の特許文献１に開示されている。
【０００３】
【特許文献１】
特開２００２−２１６５９８公報（段落番号［００１０］、図３）
【０００４】
【発明が解決しようとする課題】
従来の操作スイッチは以上のように構成されているので、操作状態を視認しながら、設定ボタンを操作することができる。しかし、ＩＨ調理器などの操作対象機器に埋め込むように設置する形態が想定されていないため、構造上、ＩＨ調理器の天面より大きく突出し、調理を行う上で邪魔になることがあるなどの課題があった。
【０００５】
この発明は上記のような課題を解決するためになされたもので、操作対象機器の天面に載置されている物体の状態をセンシングする機能を実現する上で、その操作対象機器の天面より大きく突出しないように埋め込むことができる操作スイッチを得ることを目的とする。
【０００６】
【課題を解決するための手段】
この発明に係る操作スイッチは、上端部を透明部材を用いて構成し、その上端部を通じて操作対象機器の天面に載置されている物体の状態をセンシングするセンサーを内蔵するようにしたものである。
【０００７】
【発明の実施の形態】
以下、この発明の実施の一形態を説明する。
実施の形態１．
図１はこの発明の実施の形態１による操作スイッチを示す断面図であり、図２はこの発明の実施の形態１による操作スイッチを示す斜視図である。
図において、操作対象機器であるＩＨ調理器１の天面１ａには調理器具（物体）である鍋２が載置されている。なお、言うまでもないが調理器具には、鍋２の他に、フライパンややかんなど各種のものが含まれる。
【０００８】
ロータリースイッチ３は例えば火力調整用のスイッチであり、スイッチ基板４に対して回転自在に接続されている。ロータリースイッチ５は例えば調理時間設定用のスイッチであり、スイッチ基板６に対して回転自在に接続されている。なお、ロータリースイッチ５は例えばガラスやプラスティックなどの透明部材により構成されている。ただし、ロータリースイッチ５の全てが透明部材である必要はなく、ＩＨ調理器１の天面１ａより突出する上端部が透明部材であればよい。
非接触センサー７はＩＨ調理器１の天面１ａに載置されている鍋２の温度を検知するものであり、例えば、赤外線センサー等が該当する。
【０００９】
次に動作について説明する。
図１及び図２に示すように、ロータリースイッチ３及びロータリースイッチ５からなる操作スイッチがＩＨ調理器１に埋め込まれており、ロータリースイッチ３，５を回転させることにより、例えば、火力調整や調理時間の設定を行うことができる。
ロータリースイッチ５の上端部のみがＩＨ調理器１の天面１ａより突出しているが、操作スイッチの大部分はＩＨ調理器１に埋め込まれており、調理を行う上で邪魔になることはほとんどない。
【００１０】
操作スイッチに内蔵されている非接触センサー７は、例えば、ＩＨ調理器１の天面１ａに載置されている鍋２から発せられる赤外線を受光することにより、鍋２の温度を検知する。
これにより、図示せぬＩＨ調理器１の制御回路は、非接触センサー７より検知された鍋２の温度と、ロータリースイッチ３により設定された火力値とを参照して、ＩＨ調理器１の火力を調整することができる。
【００１１】
以上で明らかなように、この実施の形態１によれば、ロータリースイッチ５のうち、少なくともＩＨ調理器１の天面１ａより突出する上端部を透明部材を用いて構成し、その上端部を通じてＩＨ調理器１の天面１ａに載置されている鍋２の温度を検知する非接触センサー７を内蔵するように構成したので、ＩＨ調理器１の天面１ａに載置されている鍋２の温度を検知する機能を実現する上で、そのＩＨ調理器１の天面１ａより大きく突出しないように埋め込むことができる効果を奏する。
これにより、調理人が調理を行う上で操作スイッチが邪魔にならず、また、清掃性も向上する。
【００１２】
なお、ＩＨ調理器の端部に操作スイッチとは別個に非接触センサーを設置して鍋の温度を検知するものは従来から存在するが、この実施の形態１では、操作スイッチに非接触センサー７を内蔵しているので、別個に非接触センサーを設置するスペースを用意する必要がない。また、操作スイッチが非接触センサー７の保護カバーとしての役割も担うので、不意の接触による非接触センサー７の故障を防止することができる。
【００１３】
この実施の形態１では、非接触センサー７がＩＨ調理器１の天面１ａに載置されている鍋２から発せられる赤外線を受光することにより、鍋２の温度を検知するものについて示したが、これに限るものではなく、例えば、操作対象機器の天面に載置されている物体の光、音、振動、磁気などをセンシングするようにしてもよい。
【００１４】
実施の形態２．
図３はこの発明の実施の形態２による操作スイッチを示す断面図であり、図４はこの発明の実施の形態２による操作スイッチを示す斜視図である。図において、図１及び図２と同一符号は同一または相当部分を示すので説明を省略する。
保護カバー８は非接触センサー７を保護するカバーであり、例えばガラスやプラスティックなどの透明部材から構成されている。ミラー９はＩＨ調理器１の天面１ａに載置されている鍋２から発せられる赤外線を反射させて、その赤外線を非接触センサー７に導いている。
【００１５】
上記実施の形態１では、非接触センサー７がＩＨ調理器１の天面１ａより突出している透明部材を通じて、鍋２から発せられる赤外線を直接受光するものについて示したが、図３に示すように、操作スイッチが鍋２から発せられる赤外線を反射させるミラー９を内蔵することにより、非接触センサー７がミラー９を介して鍋２から発せられる赤外線を受光するようにしてもよい。
これにより、一般的には、ミラー９の方が非接触センサー７よりも小さいので、上記実施の形態１よりも、ＩＨ調理器１の天面１ａより突出する操作スイッチの上端部を小さくすることができる効果を奏する。
【００１６】
実施の形態３．
上記実施の形態１，２では、操作スイッチが非接触センサー７を１個だけ内蔵するものについて示したが、非接触センサー７を複数個内蔵するようにしてもよい。
これにより、ＩＨ調理器１が複数のコンロを備えている場合でも、１つの操作スイッチに複数の非接触センサー７を集約することができる効果を奏する。
【００１７】
また、操作スイッチに非接触センサー７を２個内蔵し、一方のセンサーがＩＨ調理器１の天面１ａに載置されている鍋２の温度を検知し、他方のセンサーが調理人の存在を検知するようにしてもよい。
これにより、調理人の存在が確認されない場合には、ＩＨ調理器による加熱を自動的に停止するなどの安全装置を構築することができる効果を奏する。
【００１８】
【発明の効果】
以上のように、この発明によれば、上端部を透明部材を用いて構成し、その上端部を通じて操作対象機器の天面に載置されている物体の状態をセンシングするセンサーを内蔵するように構成したので、操作対象機器の天面に載置されている物体の状態をセンシングする機能を実現する上で、その操作対象機器の天面より大きく突出しないように埋め込むことができる効果がある。
【図面の簡単な説明】
【図１】この発明の実施の形態１による操作スイッチを示す断面図である。
【図２】この発明の実施の形態１による操作スイッチを示す斜視図である。
【図３】この発明の実施の形態２による操作スイッチを示す断面図である。
【図４】この発明の実施の形態２による操作スイッチを示す斜視図である。
【符号の説明】
１  ＩＨ調理器（操作対象機器）、１ａ  ＩＨ調理器１の天面、２  鍋（調理器具、物体）、３  ロータリースイッチ、４  スイッチ基板、５  ロータリースイッチ、６  スイッチ基板、７  非接触センサー、８  保護カバー、９  ミラー。
【図１】
2004265690.tif 000003
【図２】
2004265690.tif 000004
【図３】
2004265690.tif 000005
【図４】
2004265690.tif 000006